(57)【特許請求の範囲】
【請求項１】
建築物の外壁面を緑化する植物を植栽するための土壌を収容可能なプランタボックス部分と、植物が登攀可能又は垂下可能な正面を有する垂直パネル部分とを一体化した構造を有し、建築物の外壁面の外側に整列配置され且つ該建築物によって支持される壁面緑化用の緑化ユニットであって、
前記プランタボックス部分は、前記垂直パネル部分から後方又は前方に突出した頂部開口形容器を構成し、
該容器は、建築物によって支持され、前記建築物の外側に床構造体を形成し、
作業床を構成する床版が前記プランタボックス部分の上側に配置され、該床版は、前記プランタボックス部分によって支持され、隣り合う緑化ユニットの前記床版は、実質的に連続する作業用通路を前記建築物の外側に形成し、前記床版と前記プランタボックスとは、前記緑化ユニットの奥行方向に相対的にずれた位置に配置され、前記作業床から前記プランタボックス内の植物及び土壌を点検・管理可能な開口部が、前記床版と前記垂直パネル部分との間に形成されることを特徴とする緑化ユニット。
【請求項２】
前記プランタボックス部分及び垂直パネル部分の枠体は、一体的に相互連結されることを特徴とする請求項１に記載の緑化ユニット。
【請求項３】
前記枠体は、建築物の構造体に支持された支持部材に固定可能な固定手段を夫々有することを特徴とする請求項２に記載の緑化ユニット。
【請求項４】
前記床版は、前記プランタボックス部分の枠体に固定され、床版の荷重は、プランタボックス部分を介して建築物に伝達し、建築物の構造体によって支持されることを特徴とする請求項１乃至３のいずれか１項に記載の緑化ユニット。
【請求項５】
前記床版の床面は、通気・通水性面材によって形成されることを特徴とする請求項１乃至４のいずれか１項に記載の緑化ユニット。
【請求項６】
前記プランタボックス内の土壌面と前記床版の床面との間の距離（ｈ４）は、少なくとも１００mmに設定され、上記開口部の奥行寸法（Ｓ５）は、少なくとも１００mmに設定されることを特徴とする請求項１乃至５のいずれか１項に記載の緑化ユニット。
【請求項７】
前記作業床の奥行寸法（Ｄ１）は、少なくとも２５０mmに設定され、緑化ユニットの正面は、外壁面から５５０〜７００mm（Ｓ４）の範囲内に配置されることを特徴とする請求項６に記載の緑化ユニット。
【発明の詳細な説明】
【技術分野】
【０００１】
本発明は、緑化ユニットに関するものであり、より詳細には、建築物の外壁面を緑化する壁面緑化用の緑化ユニットに関するものである。
【背景技術】
【０００２】
建築物等の壁面緑化及び屋上緑化が、ヒートアイランド現象緩和、美観向上、環境負荷軽減等の観点より、近年殊に、注目されている。壁面緑化方法として、付着根を有するつる植物を自立登攀させて壁面を覆う登攀式壁面緑化法、屋上、ベランダ等に設置したプランターから植物を垂らして壁面を緑化する垂下式壁面緑化法、ワイヤー等の補助材を用いてつる植物を登攀又は下垂させて壁面を緑化する補助材式壁面緑化法（特開2004-267084号公報）、つる植物を誘引・巻付け可能なユニットを用いたユニット式壁面緑化（特開2004-254565号公報）、更には、壁面緑化専用の植栽済み緑化パネルを用いて壁面を早期に緑化する立体基盤式壁面緑化法（特開2003-155714号公報、特開2001-169658号公報）等が知られている。この他、多数の植栽ユニット等を屋上等から懸吊して建築物の壁面を緑化する方法（特開2004-24855号公報）等の様々な緑化方法がこれまで提案されてきた。
【０００３】
このような緑化方法は、建築物の外壁面全体を統一的に緑化することを企図したものであるが、慣用的な壁面緑化方法として、建築物の外壁面に設けられたベランダ等に植栽ユニットを配置することによって外壁を局所的に緑化することが広く行われている。これに類する緑化方法として、建築物の外壁面に鋼構造の枠体又は鉄筋コンクリートの床版等を壁面緑化用に突設させ、枠体又は床版等によって植栽ユニットを支持する方法が挙げられる。このように枠体、床版等を外壁に設けた場合、植物育成の維持・管理のための作業通路をも枠体、床版等によって形成することが可能となるので、このような緑化方法は、植物の種類等を多様化し、或いは、植物の成長を適正化し又は促進する上で有利である。
【特許文献１】特開2004-267084号公報
【特許文献２】特開2004-254565号公報
【特許文献３】特開2003-155714号公報
【特許文献４】特開2001-169658号公報
【特許文献５】特開2004-24855号公報
【発明の開示】
【発明が解決しようとする課題】
【０００４】
壁面緑化は、市街地に建設される建築物に殊に要求される傾向があるが、市街地に建設される建築物は、外壁面が隣地境界又は道路境界に接近した位置に配置される傾向がある。このため、垂下式壁面緑化法、補助材式壁面緑化法等により、外壁面を緑化する方法が一般に採用される。しかし、このような緑化方法では、植物の種類の制約、給水方法の制約、栄養剤供給方法の制約、植物交換の困難性等の管理上の問題が残る。
【０００５】
他方、外壁面が隣地境界又は道路境界に接近した建築物において、前述の如く壁面緑化用の枠体、床版等を外壁面に突設させた場合、維持・管理用の作業床を確保するには、建築物の外壁面を敷地内にセットバックする必要がある。しかしながら、壁面緑化のために建築物の外壁位置を設計変更することは、現実には許容し難く、このため、植物育成の維持・管理のための作業通路を確保することは、極めて困難である。
【０００６】
本発明は、このような課題に鑑みてなされたものであり、その目的とするところは、外壁面が隣地境界又は道路境界に接近した建築物の外壁面を緑化するとともに、植物育成の維持・管理のための作業床及び作業用通路を確保することができる緑化ユニットを提供することにある。
【課題を解決するための手段】
【０００７】
上記目的を達成すべく、本発明は、建築物の外壁面を緑化する植物を植栽するための土壌を収容可能なプランタボックス部分と、植物が登攀可能又は垂下可能な正面を有する垂直パネル部分とを一体化した構造を有し、建築物の外壁面の外側に整列配置され且つ該建築物によって支持される壁面緑化用の緑化ユニットであって、
前記プランタボックス部分は、前記垂直パネル部分から後方又は前方に突出した頂部開口形容器を構成し、
該容器は、建築物によって支持され、前記建築物の外側に床構造体を形成し、
作業床を構成する床版が前記プランタボックス部分の上側に配置され、該床版は、前記プランタボックス部分によって支持され、隣り合う緑化ユニットの前記床版は、実質的に連続する作業用通路を前記建築物の外側に形成し、前記床版と前記プランタボックスとは、前記緑化ユニットの奥行方向に相対的にずれた位置に配置され、前記作業床から前記プランタボックス内の植物及び土壌を点検・管理可能な開口部が、前記床版と前記垂直パネル部分との間に形成されることを特徴とする緑化ユニットを提供する。
【０００８】
本発明の上記構成によれば、プランタボックスの植物は、外壁面の外側に配置された垂直パネル部分の正面に伸び、垂直パネル部分の正面を登攀し又は垂下する。整列配置した緑化ユニットの床版は、実質的に連続する作業用通路を外壁面の外側に形成するので、植物育成の維持・管理のための作業床及び作業用通路を確保することができる。しかも、作業床を形成する床版が、プランタボックス部分の上側に配置され、床版及びプランタボックス部分は、上下にオーバーラップするので、緑化ユニットの奥行を縮小することができる。更には、床版とプランタボックスとが緑化ユニットの奥行方向（前後方向）に相対的にずれた位置に配置されるので、床版と垂直パネル部分との間には、開口部が形成される。作業床上の管理者は、この開口部を介してプランタボックス内の植物及び土壌を点検・管理することができる。
【発明の効果】
【０００９】
本発明の緑化ユニットによれば、外壁面が隣地境界又は道路境界に接近した建築物の外壁面を緑化するとともに、植物育成の維持・管理のための作業床及び作業用通路を確保することができる。
【発明を実施するための最良の形態】
【００１０】
本発明の好適な実施形態によれば、上記プランタボックス部分及び垂直パネル部分の枠体は、一体的に相互連結されるとともに、建築物の外壁に設けられた支持部材に固定可能な固定手段を夫々有する。支持部材は、建築物の構造体に支持され、緑化ユニットの自重（鉛直荷重）は、主としてプランタボックス部分から支持部材に伝達し、建築物の構造体によって支持される。プランタボックス部分及び垂直パネル部分の双方を支持部材に固定することにより、緑化ユニットの傾倒又は水平変位を阻止することができる。
【００１１】
好ましくは、上記床版は、プランタボックス部分の枠体に固定され、床版の荷重は、プランタボックス部分を介して上記支持部材に伝達し、建築物の構造体によって支持される。更に好ましくは、床版の枠体は、解放可能な係止手段(ボルト・ナット組立体等)によってプランタボックスの枠体に固定され、床版の床面は、エキスパンドメタル等の通気・通水性面材によって形成される。所望により、枢動式又はスライド式の開閉構造を床版に設け、床版を開閉式又はスライド式に構成しても良い。
【００１２】
本発明の好適な実施形態において、プランタボックス内の土壌面と床版の床面との間の距離（ｈ４）は、少なくとも１００mmに設定され、上記開口部の奥行寸法（Ｓ５）は、少なくとも１００mmに設定される。また、作業床の奥行寸法（Ｄ１）は、少なくとも２５０mmに設定され、緑化ユニットの正面（Ｓ４）は、外壁面から５５０〜７００mmの範囲内に配置される。緑化ユニットをこのように建築物の外壁面近傍の帯域に納めるにもかかわらず、管理者等は、床版上を移動し、上記開口部から土壌及び植物の点検、植物・土壌への肥料・薬剤等の供給、植物の交換、植栽又は除去等を行うことができる。
【００１３】
所望により、垂直パネル部分を上下に分割しても良い。また、緑化ユニットは、複数のプランタボックスと単一の垂直パネル部分とを一体化した構造、或いは、複数の垂直パネル部分と単一のプランタボックスとを一体化した構造に設計しても良い。更には、植物が登攀可能な繊維質マットを垂直パネル部分の枠内に張設しても良く、また、垂直パネル部分を若干傾斜させることも可能である。
【実施例１】
【００１４】
以下、添付図面を参照して、本発明の好適な実施例について詳細に説明する。
【００１５】
図１、図２及び図３は、本発明の実施例に係る緑化ユニットの全体構成を示す側面図、正面図及び平面図である。また、図４は、緑化ユニットの組立図であり、図５は、緑化ユニットの斜視図である。
【００１６】
図１に示す如く、緑化ユニット１は、プランタボックス２、垂直登攀パネル３及び作業床４から構成される。作業床４は、建築物の外壁５に沿って水平に配置される。作業床４は、外壁５から距離Ｓ１（約５０〜１５０mm）だけ離間し、作業者が歩行可能な奥行Ｄ１（約３００mm）を有する。プランタボックス２は、作業床４の下側に配置され、作業床４に対して距離Ｓ２（約１００〜１５０mm）だけ更に外壁５から離間する。プランタボックス２の奥行Ｄ２は、約３００mm程度に設定され、上下のブラケット２１、２２が、プランタボックス２から外方に突出する。ブラケット２１、２２の先端部には、垂直登攀パネル３の垂直支柱３１が固定される。垂直登攀パネル３は、外壁５と平行にブラケット２１、２２の先端部から垂直上方に延びる。垂直登攀パネル３の正面（前面）と、プランタボックス２の正面（前面）との間の距離Ｓ３は、約５０〜１００mm程度に設定され、緑化ユニット１の全奥行寸法Ｄ３は、約５００mm程度に設定される。垂直登攀パネル３は、作業床４から高さｈ３（約１２００mm）だけ上方に突出する。作業床４は、プランタボックス２の下端から高さｈ２（約４００mm）を隔てた位置に配置され、従って、垂直登攀パネル３の高さｈ１（＝ｈ２＋ｈ３）は、約１６００ｍｍ程度に設定される。図２及び図３に示すように、緑化ユニット１は、左右対称の形態・構造を有し、正面視長方形の垂直登攀パネル３の枠体内には、線材３４が縦横に張設される。
【００１７】
図４に示す如く、プランタボックス２は、四隅の垂直支柱２５と、横架材２３、２４とを溶接等の固着手段によって一体的に相互連結してなる立体枠を有する。ブラケット２１、２２は、溶接等の固着手段によってプランタボックス２の枠体に固定される。開口率５０〜７０％程度のパンチングメタル２６がプランタボックス２の端面及び側面の開口に張設され、プランタボックス２は、全体的に直方体形の頂部開口形容器を構成する。支柱２５及び横架材２３、２４は、アングル形鋼等の形鋼材からなり、ブラケット２１、２２は、鋼材の曲げ加工品からなる。図３に示すように、底板２８が、プランタボックス２の底面に配置される。底板２８は、複数の排水孔２９を備える。なお、パンチングメタル２６に換えて、エキスパンドメタル、有孔樹脂板、ボード建材等をプランタボックス２の端面及び側面に配置しても良い。
【００１８】
図４に示すように、植栽用の軽量土壌９０と、排水層用の土壌改良資材（黒曜石パーライト等）９１とが袋状不織布９３内に充填され、ヘデラ等の蔦植物（蔦類）又はつる植物の苗９２が袋状不織布９３内の土壌９０に植栽される。苗９２を植栽した袋状不織布９３は、プランタボックス２内に収納される。図５に示すように、プランタボックス２の上側横架材２４は、横架材２３の下方に配置され、植物育成空間が土壌９０の上面と作業床４との間に形成される。土壌９０に植栽された植物は、蔦又はつるを垂直登攀パネル３に伸ばし、垂直登攀パネル３の正面を登攀し又は垂下する。なお、端面のパンチングメタル２６には、給水装置管１００（仮想線で示す）を挿通可能な切欠き部２７が形成される。
【００１９】
作業床４は、鋼製方形枠４１の開口部にエキスパンドメタル４２を張設した水平版からなり、ボルト４３によって横架材２３上に固定される。図１に示す如く、作業床４は、土壌９０（仮想線で示す）の上面レベルから上方に高さｈ４の距離を隔てる。高さｈ４は、約１００〜１５０mmに設定される。図３に示すように、作業床４及びプランタボックス２は、緑化ユニット１の奥行方向に互いにずれた位置に配置される。作業床４が相対的に外壁５の側にオフセットしていることから、比較的大きな方形開口部４６が、作業床４と垂直登攀パネル３との間に形成される。プランタボックス２及び作業床４の幅Ｗ２は、約６５０mmに設定され、垂直登攀パネル３の幅Ｗ１及び厚さＤ４は、約８００mm、約３０mmに夫々設定される。垂直登攀パネル３の正面と外壁５との間の距離Ｓ４は、約６００mmに設定され、方形開口部４６の奥行Ｓ５は、約１５０mm程度に設定される。なお、エキスパンドメタル４２に換えて、パンチングメタル、グレーチング、有孔樹脂板等によって作業床の床面を形成しても良い。
【００２０】
図２及び図４に示すように、垂直登攀パネル３は、左右一対の垂直支柱３１と、上下の横架材３２、３３とを溶接等の固着手段によって一体的に相互連結した方形枠体からなり、枠体内の方形開口部には、線材３４が縦横に張設される。線材３４は、所定直径（例えば、直径約４〜５mm）の円形断面を有する金属線材からなり、線材３４の端部は、溶接等の固着手段によって支柱３１及び横架材３２、３３に固定される。垂直登攀パネル３をプランタボックスに固定するための取付けピース３５が、支柱３の内側面に突設され、ボルト３６が取付けピース３５のボルト孔に挿通され、ブラケット２１に締結される。垂直登攀パネル３は、ボルト３６の締結により、プランタボックス２に垂直に固定される。垂直登攀パネル３を建築物に固定するための取付けピース３８が、所定間隔を隔てて横架材３２に取付けられる。取付けピース３５、３８は、鋼材の曲げ加工品からなる。
【００２１】
図６（Ａ）は、建築物に対する緑化ユニット１の取付け方法を示す斜視図である。
【００２２】
建築物の構造体（図示せず）に固定した水平支持部材５１が建築物の外壁５を貫通し、外壁面の垂線方向に外壁５から突出する。水平支持部材５２が水平支持部材５１の先端部に架設され、外壁５と平行に延在する。水平支持部材５１、５２は、緑化ユニット１を支持する支持構造体を建築物の外側に形成する。垂直登攀パネル３をボルト連結するための取付けピース５３が所定間隔を隔てて水平支持部材５２に固定されるとともに、プランタボックス２をボルト連結するためのボルト孔５４が水平支持部材５２のフランジ部に穿設される。なお、水平支持部材５１、５２は、Ｈ形鋼材からなり、取付けピース５３は、鋼材の曲げ加工品からなる。
【００２３】
図６（Ｂ）には、垂直登攀パネル３と水平支持部材５２との連結構造が部分拡大斜視図として示されている。
【００２４】
垂直登攀パネル３の取付けピース３８は、取付けピース５３の垂直面に位置決めされ、取付けピース３８、５３のボルト孔は、整合する。ボルト５５が、取付けピース３８、５３のボルト孔に挿通される。ナット５８がボルト５５の先端部に締結され、取付けピース３８、５３は、一体的に連結される。
【００２５】
図６（Ｃ）には、プランタボックス２と水平支持部材５２との連結構造が部分拡大斜視図として示されている。
【００２６】
プランタボックス２のブラケット２２は、水平支持部材５２上の所定位置に位置決めされ、ブラケット２２に穿設されたボルト孔２２ａが、水平支持部材５２のボルト孔５４に整合する。ボルト５５が、ボルト孔２２ａ、５４に挿通される。ナット５８がボルト５５の先端部に締結され、ブラケット２２及び水平支持部材５２は、一体的に連結される。
【００２７】
図７は、緑化ユニット１を外壁５に取付けた状態を示す斜視図である。
【００２８】
緑化ユニット１は、水平支持部材５１、５２に支持され、外壁５の外側に整列する。隣り合う垂直登攀パネル３は、施工上必要なクリアランス程度の間隔Ｗ３（例えば、５０mm）を隔てて離間する。
【００２９】
プランタボックス２の植物は、プランタボックス２の開口部４６から垂直登攀パネル３の線材３４に伸び、線材３４に沿って登攀し又は垂下する。
【００３０】
各垂直登攀パネル３の背後には、作業床４が配置される。整列した作業床４は、実質的に連続する作業用通路を外壁５の壁面に沿って形成する。植物の管理者等は、作業床４上を移動することができる。前述の如く、垂直登攀パネル３と作業床４との間には、奥行Ｓ５（図３）の開口部４６が形成されるので、管理者等は、開口部４６を介して、プランタボックス２内の土壌及び植物の点検や、プランタボックス２内の清掃、植物・土壌への肥料・薬剤等の供給、植物の交換、植栽又は除去等の管理を行うことができる。
【００３１】
本例では、垂直登攀パネル３の高さｈ１は、前述の如く、約１６００ｍｍ程度に設定され、垂直登攀パネル３の上端部と水平支持部材５２との間の距離（高さ寸法）ｈ５は、５０〜１００mm程度に設定され、上下の水平支持部材５２の間の距離（高さ寸法）ｈ６は、約１７００mm程度に設定される。
【００３２】
なお、緑化ユニット１を構成する各種の形鋼材、曲げ加工鋼材、エキスパンドメタル等には、必要に応じて、亜鉛メッキ、樹脂被覆、耐候性塗装等が施される。また、植物登攀用金属線材、ボルト及びナットとして、ステンレス製の線材、ボルト、ナット等を好ましく使用し得る。
【実施例２】
【００３３】
図８は、本発明の他の実施例に係る緑化ユニットの全体構成を示す側面図である。
【００３４】
前述の実施例と同じく、緑化ユニット１は、プランタボックス２、垂直登攀パネル３及び作業床４から構成され、作業床４は、建築物の外壁５に沿って水平に配置される。しかしながら、本実施例では、垂直登攀パネル３は、外壁５の壁面を覆うように外壁５に接近し、例えば、外壁５から約５０〜１５０mmだけ離間するにすぎない。作業床４の下側に配置されたプランタボックス２は、上下のブラケット２１、２２によって垂直登攀パネル３の垂直支柱３１に一体的に連結され、垂直登攀パネル３から前方に突出する。
【００３５】
水平支持部材５１は、外壁５と平行に延びる水平支持部材５２を支持する。下側の水平支持部材５２は、プランタボックス２を支持し、上側の水平支持部材５２は、ブラケット５６及び取付けピース５３を介して垂直登攀パネル３の取付けピース３８に連結される。垂直登攀パネル３の上端部と作業床４との間の距離（高さｈ３）は、例えば、約１５００〜１６００mmに設定される。
【００３６】
作業床４は、鋼製方形枠４１の開口部にエキスパンドメタル４２を張設した水平版からなる。作業床４は、外壁５と反対の側にオフセットし、方形開口部４６は、作業床４と垂直登攀パネル３との間に形成される。給水装置管１００（仮想線で示す）は、開口部４６の下側に配置される。プランタボックス２内の軽量土壌９０及び土壌改良資材９１には、ヘデラ等の蔦植物（蔦類）又はつる植物の苗９２が植栽される。蔦植物（蔦類）又はつる植物は、開口部４６から垂直登攀パネル３に沿って登攀し又は垂下する。所望により、蔦植物（蔦類）又はつる植物をプランタボックス２の正面側に垂下させても良い。
【００３７】
以上、本発明の好適な実施例について詳細に説明したが、本発明は上記実施例に限定されるものではなく、特許請求の範囲に記載された本発明の範囲内で種々の変形又は変更が可能である。
【００３８】
例えば、上下の水平支持部材５２の間隔ｈ６を増大し且つ緑化ユニット１の高さｈ１の寸法を増大し、これにより、管理者等が腰を曲げることなく作業床４上を移動し得るように設計しても良い。
【００３９】
また、給水装置１００は、例えば、プランタボックス２内に配管された有孔散水管と、散水管に給水を圧送する給水圧送装置と、散水時間等を制御する制御部とから構成される。
【００４０】
更に、植物の種類は、任意であり、植物登攀補助用の線材の配置及び構造、プランタボックスの寸法・構造、土壌の種類及び量、植物への散水方法等は、植物の種類に相応して適宜設計変更し得るものである。
【００４１】
また、やしマット等の繊維質植栽マットを垂直登攀パネル３の枠体内に張設しても良い。
【００４２】
更には、上記作業床４は、比較的容易に開放可能な開閉式又はスライド式の床版として構成しても良い。
【産業上の利用可能性】
【００４３】
本発明の緑化ユニットは、建築物の外壁面を緑化するための壁面緑化手段として使用される。殊に、本発明の緑化ユニットは、外壁面が隣地境界又は道路境界に接近した建築物の壁面を緑化するための壁面緑化手段として有利に使用される。
【図面の簡単な説明】
【００４４】
【図１】本発明の実施例に係る緑化ユニットの全体構成を示す側面図である。
【図２】図１に示す緑化ユニットの正面図である。
【図３】図１に示す緑化ユニットの平面図である。
【図４】緑化ユニットの組立図である。
【図５】緑化ユニットの斜視図である。
【図６】建築物に対する緑化ユニットの取付け方法を示す斜視図及び部分拡大斜視図である。
【図７】緑化ユニットを外壁に取付けた状態を示す斜視図である。
【図８】本発明の他の実施例に係る緑化ユニットの全体構成を示す側面図である。
【符号の説明】
【００４５】
１  緑化ユニット
２  プランタボックス
３  登攀パネル延長部
４  作業床
５  外壁
４６  方形開口部
９０  軽量土壌
９２  苗
【図１】
0004845545.tif 000002
【図２】
0004845545.tif 000003
【図３】
0004845545.tif 000004
【図４】
0004845545.tif 000005
【図５】
0004845545.tif 000006
【図６】
0004845545.tif 000007
【図７】
0004845545.tif 000008
【図８】
0004845545.tif 000009